(57)【要約】【課題】送電用鉄塔の脚部に組み付けられて部外者が脚部に沿って昇塔することを防止すると共に、正規の作業員が昇塔する際には昇塔通路を開放して円滑な昇塔を可能とする昇塔防止装置において、昇塔防止装置を開放状態、閉止状態にするためのロック手段の操作を効率化して作業員の労苦を低減する。  【解決手段】送電線の脚部４１に対して固定されて該脚部外周を包囲する環状本体２と、環状本体の周方向に沿った複数箇所から外径方向へ突設された昇塔阻止片３０と、を備え、環状本体は、脚部に固定されると共に一部に昇塔用の開放部４を有した固定部材３と、該開放部を開閉するために該固定部材により開閉自在に支持された可動部材１０と、該可動部材を閉止状態でロックするロック手段２０と、を備え、ロック手段は、プッシュボタン錠、回転式ダイヤル錠、プッシュ式ダイヤル錠、又は南京錠である。【選択図】図１
2010168856.tif 000002
【特許請求の範囲】
【請求項１】
送電用鉄塔の脚部に組み付けられる昇塔防止装置であって、
前記脚部に対して固定されて該脚部外周を包囲する環状本体と、該環状本体の周方向に沿った複数箇所から外径方向へ突設された昇塔阻止片と、を備え、
前記環状本体は、前記脚部に固定されると共に一部に昇塔用の開放部を有した固定部材と、該開放部を開閉するために該固定部材により開閉自在に支持された可動部材と、該可動部材を閉止状態でロックするロック手段と、を備え、
前記ロック手段は、プッシュボタン錠、回転式ダイヤル錠、プッシュ式ダイヤル錠、又は南京錠であることを特徴とする昇塔防止装置。
【請求項２】
前記ロック手段は、前記環状本体、又は前記可動部材の何れか一方に設けられたロック手段本体と、他方に設けられた被ロック部材と、を備えていることを特徴とする請求項１に記載の昇塔防止装置。
【請求項３】
前記ロック手段を覆う開閉自在な開閉蓋を備えたことを特徴とする請求項１、又は２に記載の昇塔防止装置。
【発明の詳細な説明】
【技術分野】
【０００１】
本発明は、送電用鉄塔の脚部に組み付けられて正規の作業員等の関係者以外の者が昇塔することを防止するための昇塔防止装置に関し、特に昇塔経路を閉止する際に用いるロック手段の改良に関するものである。
【背景技術】
【０００２】
送電用鉄塔により支持された送電線等を正規の作業員が保守、点検するためには鉄塔は作業員が昇塔可能な構造とする必要がある一方で、安全対策上、作業員以外の非関係者が昇塔できないように構成する必要がある。
従来は、鉄塔脚部に昇塔防止装置を設けて、鉄塔脚部に沿った昇塔通路を閉止する一方で、正規の作業員が昇塔する際には昇塔防止装置により昇塔通路を開放するように構成している。
従来の昇塔防止装置は、例えば図５（ａ）（ｂ）に示した如き構成を備えている。
この昇塔防止装置１００は、鉄塔１３０の脚部（鉄骨材）１３１に対して固定されて脚部外周を包囲する環状本体１０１と、環状本体外周の周方向に沿った複数箇所から外径方向へ放射状に突設された棒状の鋼材から成る昇塔阻止片１２０と、を備えている。
環状本体１０１は、脚部に対してボルトナットを用いて固定されると共に一部に昇塔用の開放部１０３を有した固定部材１０２と、開放部１０２を開閉するために固定部材１０２により開閉自在（観音開き状）に支持された可動部材１１０と、可動部材１１０を固定部材１０２に対して閉止した状態でロックするロック手段１１５と、を備えている。固定部材１０２はその両端部にヒンジ部１０４を備え、各ヒンジ部１０４により各可動部材１１０を開閉自在に支持している。図５（ｂ）に実線で示したように可動部材１１０を閉じてロック手段１１５をロックした状態では開放部１０３が閉止されているために昇塔阻止片１２０が障害となって鉄塔への昇塔を不可能としている。一方、破線で示したようにロック手段１１５を解除して可動部材１１０を開放することにより開放部１０３から露出した脚部１３１を利用して昇塔することが可能となる。
昇塔阻止片１２０は、その基端部に設けた雄螺子部１２０ａを固定部材１０２、及び可動部材１１０に設けた穴内に挿通してから雄螺子部にナット１２１を締結することにより固定されている。
ロック手段１１５は、昇塔阻止片１２０を固定部材、及び可動部材に固定するナット１２１を外した状態で昇塔阻止片の雄螺子部１２０ａに連設板１２５の穴部を挿通してから雄螺子部にナット１２６を締結することにより、固定部材と可動部材をロックする構成を有する。
【０００３】
しかし、上記従来の昇塔防止装置はロック手段としてボルトナットを用いているため、昇塔の度にスパナ等の工具を用いてナットを緩めて可動部材を開放し、作業終了時には回動部材を閉止してナットを締結するという煩雑、且つ多大な労力を伴う作業が必要であった。特に、ボルトナット部が錆によって固着している場合にはナットの取外し作業が困難になるという不具合も生じる。また、スパナ等の工具の取出し、収納に手間がかかるという問題もある。また、非関係者が工具を用いて可動部材を開放して昇塔することが可能となる。
特許文献１に開示されたステップ付き昇塔防止器では、鉄塔の脚部に設けた足場受けに設けたネジ穴内にステップとなる足場ボルトのネジ部を螺着してナットにより固定することにより、足場ボルトを突出状態（昇塔可能状態）とする一方で、ナットを外してネジ穴から離脱させた足場ボルトを脚部と平行な姿勢（昇塔不能状態）で収納するようにしている。
しかし、この従来例にあっては、ナットの締結、緩め作業を行う際にスパナ等の工具が必須となるため、作業の煩雑さの点については現状と変わりなかった。
【特許文献１】特開２０００−２７４９１公報
【発明の開示】
【発明が解決しようとする課題】
【０００４】
従来の昇塔防止装置にあっては、昇塔通路を閉止するためのロック作業、及び開放するためのロック解除作業や、足場ボルトを鉄塔の脚部に着脱するための作業を工具を用いて行う必要があったため、作業が繁雑となるという問題があった。
本発明は上記に鑑みてなされたものであり、送電用鉄塔の脚部に組み付けられて部外者が脚部に沿って昇塔することを防止すると共に、正規の作業員が昇塔する際には昇塔通路を開放して円滑な昇塔を可能とする昇塔防止装置において、昇塔防止装置を開放状態、閉止状態にするためのロック手段の操作を効率化して作業員の労苦を低減することを目的としている。
【課題を解決するための手段】
【０００５】
上記目的を達成するため、請求項１の発明は、送電用鉄塔の脚部に組み付けられる昇塔防止装置であって、前記脚部に対して固定されて該脚部外周を包囲する環状本体と、該環状本体の周方向に沿った複数箇所から外径方向へ突設された昇塔阻止片と、を備え、前記環状本体は、前記脚部に固定されると共に一部に昇塔用の開放部を有した固定部材と、該開放部を開閉するために該固定部材により開閉自在に支持された可動部材と、該可動部材を閉止状態でロックするロック手段と、を備え、前記ロック手段は、プッシュボタン錠、回転式ダイヤル錠、プッシュ式ダイヤル錠、又は南京錠であることを特徴とする。
送電用鉄塔に作業員が昇塔する際には鉄塔の脚部から昇塔することになるが、部外者による昇塔を防止する必要から脚部には昇塔防止装置が設置される。従来の昇塔防止装置としては、脚部を構成する鉄骨材の外周に、該鉄骨材を包囲するように複数個の円弧状の鋼材をヒンジを介して開閉自在（例えば、観音開き状）に配置し、この鋼材から外径方向に放射状に棒状の鋼材を突出させた構成を備えたものがある。本発明では、脚部に固定される固定部材により開閉自在に軸支された可動部材を閉止状態でロックするためのロック手段としてプッシュボタン錠、回転式ダイヤル錠、プッシュ式ダイヤル錠、又は南京錠を利用したので、工具を用いた煩雑なロック、ロック解除作業が不要となる。
【０００６】
請求項２の発明は、前記ロック手段は、前記環状本体、又は前記可動部材の何れか一方に設けられたロック手段本体と、他方に設けられた被ロック部材と、を備えていることを特徴とする。
ロック手段本体にはプッシュボタン等の操作部を設け、被ロック部材はこのロック手段本体に設けたロック機構によって係止される。
請求項３の発明は、前記ロック手段を覆う開閉自在な開閉蓋を備えたことを特徴とする。
この昇塔防止装置は屋外に配置されるため、雨水によりロック手段が浸食されて発錆する虞があるが、開閉蓋により保護することにより雨水による耐久性の低下を防止できる。
【発明の効果】
【０００７】
本発明の昇塔防止装置では、鉄塔の脚部に対して固定されて脚部外周を包囲する環状本体は、脚部に固定されると共に一部に昇塔用の開放部を有した固定部材と、該開放部を開閉するために該固定部材により開閉自在に支持された可動部材と、該可動部材を閉止状態でロックするロック手段と、を備え、ロック手段は、プッシュボタン錠、回転式ダイヤル錠、プッシュ式ダイヤル錠、又は南京錠である。このため、昇塔防止装置を開放状態、閉止状態にするためのロック手段の操作を効率化して作業員の労苦を低減することができる。
【発明を実施するための最良の形態】
【０００８】
以下、本発明を図面に示した実施の形態により詳細に説明する。
図１（ａ）及び（ｂ）は本発明の一実施形態としての昇塔防止装置を鉄塔の脚部に組み付けた状態を示す斜視図、及び開放状態の平面図であり、図２（ａ）（ｂ）（ｃ）及び（ｄ）はロック手段の一例の構成説明図である。
昇塔防止装置１は、鉄塔４０の脚部（鉄骨材）４１に固定されて脚部外周を包囲する環状本体２と、環状本体外周の周方向に沿った複数箇所から外径方向へ放射状に突設された棒状の鋼材から成る昇塔阻止片３０と、を概略備えている。
環状本体２は、脚部４１に対してボルトナットを用いて固定されると共に一部に昇塔用の開放部４を有した固定部材３と、開放部４を開閉するために固定部材３の両端部に設けたヒンジ部５により開閉自在（観音開き状）に支持された２つの可動部材１０（１０Ａ、１０Ｂ）と、両可動部材１０を閉止した状態でロックするロック手段２０と、を備えている。固定部材３はその両端部にヒンジ部５を備え、各ヒンジ部５により各可動部材１０Ａ、１０Ｂを開閉自在に支持している。固定部材３には、脚部４１に固定するための連結部材６が組み付けられており、脚部４１を挟んだ状態でボルトナットにより固定する。
なお、固定部材３の一端部に設けたヒンジ部により一つの可動部材を開閉自在に支持することにより開閉部を開閉する構成も本発明の範囲内に含まれるが、以下の実施形態では２つの可動部材を開閉自在に支持した構成例について説明する。
【０００９】
図１（ａ）のように両可動部材１０Ａ、１０Ｂを閉じてロック手段２０によりロックした状態では開放部４が閉止されているために昇塔阻止片３０が障害となって鉄塔への昇塔が不可能となる。一方、（ｂ）中に破線で示すようにロック手段２０を解除して可動部材１０を開放することにより開放部４から露出した脚部４１を利用して昇塔（降塔）することが可能となる。
昇塔阻止片３０は、その基端部に設けた雄螺子部３０ａを固定部材３、及び可動部材１０に設けた穴内に挿通してから雄螺子部にナット３１を締結することにより固定される。
ロック手段２０は、２つの可動部材１０の何れか一方（１０Ａ）に固定されたロック手段本体２１と、他方の可動部材１０Ｂに固定された被ロック部材２５と、を備えている。
本実施形態に係るロック手段２０は、プッシュボタン錠、又は回転式ダイヤル錠であるが、図２では、プッシュボタン錠を用いた例を示している。
プッシュボタン錠２０は、周知のようにロック手段本体２１を構成する複数個のプッシュボタン２２と、予め決められた所定のプッシュボタンを所定の順序で所要回数押圧することによって作動して開錠状態となる図示しないロック機構と、開錠状態となったロック機構を閉錠状態に移行させるための操作レバー２３と、を備えている。
なお、ロック手段本体２１が雨水により浸食されることを防止するために、開閉蓋２４を設けても良い（図２（ｄ））。即ち、昇塔防止装置は屋外に配置されるため、雨水によりロック手段が浸食されて発錆する虞があるが、開閉蓋により保護することにより雨水による耐久性の低下を防止できる。
【００１０】
他方の可動部材１０Ｂに設けた被ロック部材２５は、ロック手段本体２１側に設けたロック機構（可動部材から出没するピン２５ｂ）により係止される凹所２５ａ（或いは、突起）を備え、プッシュボタン２２の操作によってロック機構がロック解除された状態にある時にはピン２５ｂが非突出状態となるため、被ロック部材２５はロック機構（ピン２５ｂ）に対して着脱可能となる。開錠状態にあるロック機構を閉錠状態にするためには操作レバー２３を所定方向に回動させてピン２５ｂと突出させればよい。従って、図２（ａ）の閉錠状態を、図２（ｃ）の開錠状態にするためには、プッシュボタン２２を操作してロック機構を解除すれば（ピン２５ｂを引っ込めれば）、一方の可動部材１０Ａを他方の可動部材１０Ｂから離脱させて開放部４を開放させて昇塔可能な状態とすることができる。ロック機構を閉錠状態とするためには、被ロック部材２５をロック機構内に差し込んだ状態で操作レバー２３を操作すればよい。
ロック機構は、家屋の扉に設けられるプッシュボタン錠に用いられる機構と同様であり、あらゆるロック機構を適用することができるが、例えば、特開２００６−１１８２７０に示されたロック機構を例示することができる。
【００１１】
次に、図３に示したプッシュボタン錠（ロック手段）の構成例では、ロック機構として軸部２６ａを中心として上下動するフック部材２６を用いており、開錠状態ではフック部材２６が破線で示したように開放位置にあるために、他方の回動部材に設けた被ロック部材２５の係止突起２５ｃと離間している。一方、閉錠状態では実線で示したようにフック部材は閉止位置にあってその凹所によって係止突起２５ｃを係止することによって可動部材１０を開放不能としている。係止突起２５ｃはその頭部を大径の脱落防止部とすることにより、フック部材２６の凹所からの脱落を防止できる。
次に、図４（ａ）及び（ｂ）は他の実施形態に係るロック手段（南京錠タイプ）の構成説明図であり、この南京錠タイプのロック手段２０は、プッシュボタン（或いは、回転式ダイヤル）２２を備え且つ内部にロック機構を備えたロック手段本体２１と、ロック手段本体２１から出没するように支持されたＵ字錠の係止片２７と、被ロック部材２５と、を備えている。ロック機構のロックが解除された状態で突出した係止片２７を被ロック部材２５に設けた係止突起２５ｃに係止させてから係止片２７をロック手段本体２１側に収納してロックすることにより、係止片２７によって係止突起２５ｃをロックすることができる。係止片２７は頭部を大径の脱落防止部とすることにより係止片２７による係止状態を安定させることができる。
なお、ロック手段２０として、特開２００８−１５６８４４公報に開示された如きプッシュ式ダイヤル錠を適用してもよい。
【００１２】
本発明の昇塔防止装置によれば、ロック手段としてプッシュボタン錠、回転式ダイヤル錠、プッシュ式ダイヤル錠、又は南京錠を利用したので、従来のように工具を用いなければ開閉できなかったボルトとナットの締結構造のような煩雑な開閉作業が不要となり、作業員の負担を軽くして作業性を高めることができる。しかも、これらのロック手段の開錠方法を知らない部外者には昇塔防止装置設置箇所からの昇塔が不可能となり、保安性を高めることができる。
これらのロック手段は、ボルト・ナットに比べて錆に強いが、開閉蓋により雨水から保護することにより更にその耐久性を高めることができる。
【図面の簡単な説明】
【００１３】
【図１】（ａ）及び（ｂ）は本発明の一実施形態としての昇塔防止装置を鉄塔の脚部に組み付けた状態を示す斜視図、及び開放状態の平面図である。
【図２】（ａ）（ｂ）（ｃ）及び（ｄ）はロック手段の一例の構成説明図である。
【図３】本発明の他の実施形態に係る昇塔防止装置の要部構成を示す裏面図である。
【図４】（ａ）及び（ｂ）は他の実施形態に係るロック手段（南京錠タイプ）の構成説明図である。
【図５】（ａ）及び（ｂ）は従来例の説明図である。
【符号の説明】
【００１４】
１…昇塔防止装置、２…環状本体、３…固定部材、４…開放部、５…ヒンジ部、６…連結部材、１０、１０Ａ、１０Ｂ…可動部材、２０…ロック手段、２１…ロック手段本体、２２…プッシュボタン、２３…操作レバー、２４…開閉蓋、２５…被ロック部材、２５ａ…凹所、２５ｂ…ピン、２５ｃ…係止突起、２６…フック部材、２６ａ…軸部、２７…係止片、３０…昇塔阻止片、３０ａ…雄螺子部、３１…ナット、４０…鉄塔、４１…脚部
【図１】
2010168856.tif 000003
【図２】
2010168856.tif 000004
【図３】
2010168856.tif 000005
【図４】
2010168856.tif 000006
【図５】
2010168856.tif 000007